(57)【要約】【課題】本発明は、テスト信号発生装置及び映像機器の検査方法に関し、目視による色信号の歪み検出、色信号のレベル調整等に適用して、輝度信号処理回路、色信号処理回路等における黒レベル側の異常についても検出することができるようにする。【解決手段】本発明は、ＲＧＢ信号の全て及び一部を所定の信号レベルに順次立ち上げて形成される帯状の表示Ｗ、Ｙ、Ｃｙ、Ｇ、Ｍｇ、Ｒ、Ｂにそれぞれ隣接して、これら帯状の表示Ｗ、Ｙ、Ｃｙ、Ｇ、Ｍｇ、Ｒ、Ｂを横切る方向に、白基準及び黒基準の表示Ｗ、ＢＬをそれぞれ設ける。【選択図】        図１
2008118354.tif 000002
【特許請求の範囲】
【請求項１】
所定のカラーバーを表示させるカラーバー信号を出力するテスト信号発生装置において、
前記カラーバーは、
ＲＧＢ信号の全て及び一部を所定の信号レベルに順次立ち上げて形成される帯状の表示が順次配置され、
前記帯状の表示を横切る方向に、前記帯状の表示にそれぞれ隣接して、白基準及び黒基準の表示が配置された
ことを特徴とするテスト信号発生装置。
【請求項２】
所定のカラーバーを表示させるカラーバー信号を映像機器に入力し、前記映像機器を検査する映像機器の検査方法において、
前記カラーバーは、
ＲＧＢ信号の全て及び一部を所定の信号レベルに順次立ち上げて形成される帯状の表示が順次配置され、
前記帯状の表示を横切る方向に、前記帯状の表示にそれぞれ隣接して、白基準及び黒基準の表示が配置され、
前記映像機器の検査方法は、
前記映像機器から出力される前記カラーバー信号を表示装置で表示し、
前記表示装置における前記帯状の表示と、前記白基準及び黒基準の表示との輝度レベルを目視により比較して前記映像機器を検査する
ことを特徴とする映像機器の検査方法。
【発明の詳細な説明】
【技術分野】
【０００１】
本発明は、テスト信号発生装置及び映像機器の検査方法に関し、目視による色信号の歪み検出、色信号のレベル調整等に適用することができる。本発明は、色信号の全て及び一部を所定の信号レベルに順次立ち上げて形成される帯状の表示にそれぞれ隣接して、これら帯状の表示を横切る方向に、白基準及び黒基準の表示を設けることにより、またこのようなカラーバー信号を用いて目視により検査することにより、輝度信号処理回路、色信号処理回路等における黒レベル側の異常を目視により簡易に検出することができるようにする。
【背景技術】
【０００２】
従来、各種映像機器の製造工程等では、ＳＭＰＴＥ（Society of Motion Picture andTelevision Engineers）のカラーバーを用いて、目視により、又はオシロスコープ等を用いて色信号のレベル、色相等を調整している。
【０００３】
ここでＳＭＰＴＥのカラーバーは、図１２に示すように、縦方向に３つのパターンを配置して形成される。ここで最も上段のパターンは、それぞれ縦方向に延長する白（Ｗ）、イエロー（Ｙ）、シアン（Ｃｙ）、緑（Ｇ）、マゼンタ（Ｍｇ）、赤（Ｒ）、青（Ｂ）による帯状の表示を、画面左から右に向かって、順次配置して形成される。ここでこれらの帯状の表示は、ＲＧＢ信号の全て及び一部を所定の信号レベルに順次立ち上げて形成される表示であり、輝度レベル７５〔％〕で表示される。
【０００４】
また中段のパターンは、それぞれ縦方向に延長する青（Ｂ）、黒（ＢＬ）、マゼンタ（Ｍｇ）、黒（ＢＬ）、シアン（Ｃｙ）、黒（ＢＬ）、白（Ｗ）による帯状の表示を、画面左から右に向かって、順次配置して形成される。この中段のパターンにおける青、マゼンタ、シアン、白による帯状の表示は、上段のパターンと同一に、輝度レベル７５〔％〕で表示される。
【０００５】
ここでこれら中段のパターンにおける青、マゼンタ、シアン、白の表示は、何れもＲＧＢ信号のうちの、青色の信号成分を有する表示である。従ってＳＭＰＴＥのカラーバーは、検査対象の映像機器からの青色の信号のみ出力して表示装置で表示すると、上段のパターンに設けられた白、シアン、マゼンタ、青の表示と、中段のパターンに設けられた青、マゼンタ、シアン、白の表示とが、全て青色により表示されることになり、正しく色相、彩度が調整されている場合には、全て同一の輝度により表示されることになる。また中段のパターンにおけるこれら青、マゼンタ、シアン、白の表示は、上段のパターンにおける順序とは逆の順序で順次配置される。
【０００６】
これによりＳＭＰＴＥのカラーバーは、このように青色の信号のみ出力してモニタするようにして、上段のパターンに設けられた白、シアン、マゼンタ、青の表示と、これらの各表示にそれぞれ隣接する中段のパターンに設けられた青、マゼンタ、シアン、白の表示との輝度レベルの比較により、輝度レベル７５〔％〕について、位相、彩度を目視でも検査、調整できるように構成されている。
【０００７】
カラーバー信号は、この他に、ＡＲＩＢ（Association of Radio and Businesses ）で規格化されたＡＲＩＢ  ＳＴＤ−Ｂ２８があり、このＡＲＩＢ  ＳＴＤ−Ｂ２８では、表示画面を縦方向に４段に区切って、上段に、ＳＭＰＴＥの上段のパターンと同一の輝度レベル７５〔％〕による帯状の表示が設けられ、これらの帯状の表示の下側に隣接して、輝度レベル７５〔％〕による白の表示が設けられている。
【０００８】
このＡＲＩＢのカラーバー信号の場合、各色の帯状の表示に隣接して白色の表示が設けられていることから、ＲＧＢ信号のうちで赤色、緑色、又は青色の信号のみ出力してモニタするようにして、赤色、緑色、又は青色の色毎に、輝度レベル７５〔％〕について、目視により位相、彩度を検査、調整することができる。
【０００９】
このようなカラーバーに関して、特開２００１−３４６２３３号公報には、１６：９のアスペクト比による映像機器用と４：３のアスペクト比による映像機器用とで、カラーバー信号を生成する構成を共用化して全体構成を簡略化する工夫が提案されている。
【００１０】
ところで映像機器では、黒レベル側で色信号に歪みが発生している場合がある。具体的には、色信号処理回路において、黒レベル側にクリップが発生している場合、これとは逆に色信号処理回路において、黒レベル側で信号レベル差が伸長している場合等である。
【００１１】
このように黒レベル側で色信号に歪みが発生している場合、従来のカラーバー信号では、異常を検出することが困難な問題がある。すなわちこの場合、カラーバー以外の、例えば通常の映像を表示して初めて黒レベル側の異常に気が付くことになる。また色信号処理回路が正常な場合でも、輝度信号処理回路において、黒レベル側に異常があると、同様の問題が発生する。
【００１２】
このような黒レベル側の異常は、輝度信号処理回路、色信号処理回路以外に、例えばビデオ信号をＲＧＢ信号に変換するマトリックス演算処理、ビデオ信号の伝送系等に異常があっても発生する。
【特許文献１】特開２００１−３４６２３３号公報
【発明の開示】
【発明が解決しようとする課題】
【００１３】
本発明は以上の点を考慮してなされたもので、輝度信号処理回路、色信号処理回路等における黒レベル側の異常についても目視により簡易に検出することができるテスト信号発生装置及び映像機器の検査方法を提案しようとするものである。
【課題を解決するための手段】
【００１４】
上記の課題を解決するため請求項１の発明は、所定のカラーバーを表示させるカラーバー信号を出力するテスト信号発生装置に適用して、前記カラーバーは、ＲＧＢ信号の全て及び一部を所定の信号レベルに順次立ち上げて形成される帯状の表示が順次配置され、前記帯状の表示を横切る方向に、前記帯状の表示にそれぞれ隣接して、白基準及び黒基準の表示が配置される。
【００１５】
また請求項２の発明は、所定のカラーバーを表示させるカラーバー信号を映像機器に入力し、前記映像機器を検査する映像機器の検査方法に適用して、前記カラーバーは、ＲＧＢ信号の全て及び一部を所定の信号レベルに順次立ち上げて形成される帯状の表示が順次配置され、前記帯状の表示を横切る方向に、前記帯状の表示にそれぞれ隣接して、白基準及び黒基準の表示が配置され、前記映像機器の検査方法は、前記映像機器から出力される前記カラーバー信号を表示装置で表示し、前記表示装置における前記帯状の表示と、前記白基準及び黒基準の表示との輝度レベルを目視により比較して前記映像機器を検査する。
【００１６】
請求項１の構成によれば、白基準との比較により白レベル側の異常を検出することができ、黒基準との比較により黒レベル側の異常を検出することができ、これにより輝度信号処理回路、色信号処理回路等における黒レベル側の異常についても目視で簡易に検出することができる。
【００１７】
また請求項２の構成によれば、それぞれ白基準及び黒基準との比較により白レベル側及び黒レベル側の異常を目視により簡易に検出することができる。
【発明の効果】
【００１８】
本発明によれば、輝度信号処理回路、色信号処理回路等における黒レベル側の異常についても簡易に検出することができる。
【発明を実施するための最良の形態】
【００１９】
以下、適宜図面を参照しながら本発明の実施例を詳述する。
【実施例１】
【００２０】
図２は、本発明の実施例に係るテスト信号発生装置を示すブロック図である。このテスト信号発生装置１において、テスト信号生成回路２は、制御部３の制御により、操作子５の操作に応動してカラーバー信号ＶＳ等の各種テスト信号を生成する。このテスト信号発生装置は、オペレータの設定に従って、このテスト信号を、輝度信号及び色差信号、輝度信号及びＩ、Ｑ信号、ＲＧＢ信号、又は各種のコンポジットビデオ信号により出力する。
【００２１】
ここで図１は、この実施例のカラーバー信号ＶＳによるカラーバーの表示画面を示す平面図である。このカラーバー信号ＶＳによるカラーバーは、白Ｗ、イエローＹ、シアンＣｙ、緑Ｇ、マゼンタＭｇ、赤Ｒ、青Ｂによる帯状の表示が順次配置される。ここでこれら帯状の表示は、輝度レベル７５〔％〕に設定される。またこれらの帯状の表示を横切る方向に、これら帯状の表示の両端にそれぞれ隣接して、白Ｗ及び黒ＢＬによる帯状の表示が配置される。ここでこの白Ｗ及び黒ＢＬの帯状の表示は、それぞれ輝度レベル７５〔％〕及び０〔％〕に設定される。なお以下において、この横方向に延長する白Ｗ及び黒ＢＬによる帯状の表示を、それぞれ白基準の表示、黒基準の表示と呼ぶ。
【００２２】
この実施例では、この白Ｗ及び黒ＢＬの帯状の表示が、それぞれ表示画面の上端及び下端において、水平方向に延長するように、それぞれ画面高さの１０〔％〕の幅で配置される。また黒基準は、セットアップ部がある場合にはセットアップレベルに設定され、セットアップ部が無い場合にはペデスタルレベルに設定される。
【００２３】
図３は、この実施例に係る検査システム１１の構成を示すブロック図である。この検査システム１１では、テスト信号発生装置１で生成したカラーバー信号ＶＳを測定対象１２に入力し、またこの測定対象１２から出力されるビデオ信号を表示装置１３で表示する。この検査システム１１では、この表示装置１３の表示を目視して測定対象１２の異常の有無が確認される。なおこの場合に、測定対象１２は、例えば送受信回路、変復調回路、記録再生回路等による映像信号の伝送系、表示装置等であり、測定対象１２が表示装置の場合、表示装置１３は省略される。
【００２４】
この検査システム１１では、例えば測定対象１２から表示装置１３に青色の信号のみ入力するように、又は表示装置１３で青色のみ表示するように設定する。この場合、表示装置１３における表示において、白Ｗ、イエローＹ、シアンＣｙ、緑Ｇ、マゼンタＭｇ、赤Ｒ、青Ｂの帯状の表示のうち、青色成分を含んでいないイエローＹ、緑Ｇ、赤Ｒの帯状の表示は、黒レベルで表示されることになり、青色成分を含んでいる白Ｗ、シアンＣｙ、マゼンタＭｇ、青Ｂの帯状の表示は、同一の輝度レベルの青色で表示されることになる。
【００２５】
しかしながら測定対象１２における輝度信号処理回路及び又は色信号処理回路が正しくない場合には、図４に示すように、これら青色成分を含んでいる白Ｗ、シアンＣｙ、マゼンタＭｇ、青Ｂの帯状の表示が、異なる輝度レベルで表示されることになる。またこれら帯状の表示にあっては、輝度レベルが７５〔％〕に設定されており、これら帯状の表示を横切る白基準の表示も、輝度レベルが７５〔％〕に設定されていることから、この場合、この白基準の表示との対比により、輝度レベルの高い側が正しく復元されているか否か判定することができる。すなわちこれらの表示に輝度レベル差がある場合、輝度信号処理回路及び又はＢ−Ｙ等の処理回路において、輝度レベルの高い側が正しく復元されていないことを確認することができる。より具体的には、例えば青色の信号の処理系統に異常が発生しており、青色色信号に歪みのあることが判る。
【００２６】
しかしながら輝度信号処理回路、色信号処理回路等における異常にあっては、輝度レベルの高い側だけでなく、図４において矢印Ａで示すように、輝度レベルの低い側でも発生する。従来のカラーパターンでは、このような輝度レベルの低い側の異常については、判別することが困難である。
【００２７】
しかしながらこの実施例では、黒基準の表示が設けられていることにより、表示装置１３の表示において、この黒基準の表示との輝度レベルの対比により、このような輝度信号処理回路、色信号処理回路における輝度レベルの低い側の異常についても正しく判別することができる。すなわちこの場合、イエローＹ、緑Ｇ、赤Ｒの帯状の表示と、黒基準の表示との対比により、青色の信号に関して、輝度レベルの低い側が正しく復元されているか否か判定することができ、青色の信号の処理系統における黒レベル側の異常を目視により確認することができる。なお当然のことではあるが、この場合、このような黒レベル側の輝度レベルの異常を目視により検出可能に、表示装置１３を調整しておくことが必要である。
【００２８】
またこの図４との対比により図５に示すように、表示装置１３で赤色のみ表示するように設定することにより、白Ｗ、イエローＹ、シアンＣｙ、緑Ｇ、マゼンタＭｇ、赤Ｒ、青Ｂの帯状の表示のうち、赤色成分を含んでいないシアンＣｙ、緑Ｇ、青Ｂの帯状の表示は、黒レベルで表示されることになり、赤色成分を含んでいる白Ｗ、イエローＹ、マゼンタＭｇ、赤Ｒの帯状の表示は、同一の輝度レベルの赤色で表示されることになる。
【００２９】
これによりこの場合も、赤色成分を含んでいないシアンＣｙ、緑Ｇ、青Ｂの帯状の表示と黒基準の表示との目視による輝度レベルの比較により、赤色の信号の処理系統における黒レベル側の異常を目視により確認することができ、また赤色成分を含んでいる白Ｗ、イエローＹ、マゼンタＭｇ、赤Ｒの帯状の表示と白基準の表示との目視による輝度レベルの比較により、赤色の信号の処理系統における白レベル側の異常を目視により確認することができる。
【００３０】
またこれら図４及び図５との対比により図６に示すように、表示装置１３で緑色のみ表示するように設定することにより、白Ｗ、イエローＹ、シアンＣｙ、緑Ｇ、マゼンタＭｇ、赤Ｒ、青Ｂの帯状の表示のうち、緑色成分を含んでいないマゼンタＭｇ、赤Ｒ、青Ｂの帯状の表示は、黒レベルで表示されることになり、緑色成分を含んでいる白Ｗ、イエローＹ、シアンＣｙ、緑Ｇの帯状の表示は、同一の輝度レベルの緑色で表示されることになる。
【００３１】
これによりこの場合も、緑色成分を含んでいないマゼンタＭｇ、赤Ｒ、青Ｂの帯状の表示と黒基準の表示との目視による輝度レベルの比較により、緑色の信号の処理系統における黒レベル側の異常を目視により確認することができ、また緑色成分を含んでいる白Ｗ、イエローＹ、シアンＣｙ、緑Ｇの帯状の表示と白基準の表示との目視による輝度レベルの比較により、緑色の信号の処理系統における白レベル側の異常を目視により確認することができる。
【００３２】
以上の構成によれば、色信号の全て及び一部を所定の信号レベルに順次立ち上げて形成される帯状の表示にそれぞれ隣接して、これら帯状の表示を横切る方向に、白基準及び黒基準の表示を設けることにより、輝度信号処理回路、色信号処理回路等における白レベル側及び黒レベル側の異常を目視により検出することができる。
【実施例２】
【００３３】
なお上述の実施例においては、単に、ＲＧＢ信号の全て及び一部を所定の信号レベルに順次立ち上げて形成される帯状の表示の両端に、これら帯状の表示に隣接してこれら帯状の表示を横切るように、白基準及び黒基準の表示をそれぞれ設ける場合について述べたが、本発明はこれに限らず、図７に示すように、さらに他のパターンを併せて表示するようにしてもよく、白基準及び黒基準の表示位置を入れ換えるようにしてもよい。なおこの図７の例では、他のパターンとして輝度レベル１００〔％〕の白等を配置した場合である。また図８に示すように、白基準及び黒基準を画面の左右両端に縦方向に延長するように配置し、水平方向に延長するように残りの帯状の表示を設けるようにしてもよい。また図９に示すように、表示画面の一部で、カラーバーを表示するようにしてもよい。なおこの場合、図７において破線で示すように帯状の表示の長さを変化させてもよく、また図８において破線で示すように帯状の表示の並びを斜めに傾けてもよい。また図１０、図１１に示すように、帯状の表示を分割して、白基準、黒基準の表示を隣接させるようにしてもよい。
【００３４】
また上述の実施例においては、白基準、黒基準を画面高さの１０〔％〕の幅で形成する場合等について述べたが、本発明はこれに限らず、要は帯状の表示との間で輝度レベル差を目視により確認できるようにすればよく、例えば画面高さの５〔％〕の幅で形成する場合等、必要に応じて種々の幅で作成することができる。
【産業上の利用可能性】
【００３５】
本発明は、テスト信号発生装置及び映像機器の検査方法に関し、目視による色信号の歪み検出、色信号のレベル調整等に適用することができる。
【図面の簡単な説明】
【００３６】
【図１】本発明の実施例に係るカラーバーを示す平面図である。
【図２】本発明の実施例に係るテスト信号発生装置を示すブロック図である。
【図３】図２のテスト信号発生装置を用いた測定例を示すブロック図である。
【図４】図１のカラーバーによる青色色信号の検査の説明に供する略線図である。
【図５】図１のカラーバーによる赤色色信号の検査の説明に供する略線図である。
【図６】図１のカラーバーによる緑色色信号の検査の説明に供する略線図である。
【図７】カラーバーの他の例を示す平面図である。
【図８】図７とは異なるカラーバーの他の例を示す平面図である。
【図９】図７、図８とは異なるカラーバーの他の例を示す平面図である。
【図１０】図７〜図９とは異なるカラーバーの他の例を示す平面図である。
【図１１】図７〜図１０とは異なるカラーバーの他の例を示す平面図である。
【図１２】ＳＭＰＴＥのカラーバーを示す平面図である。
【符号の説明】
【００３７】
１……テスト信号発生装置、２……テスト信号生成回路、１１……検査システム、１２……測定対象、１３……表示装置
【図１】
2008118354.tif 000003
【図２】
2008118354.tif 000004
【図３】
2008118354.tif 000005
【図４】
2008118354.tif 000006
【図５】
2008118354.tif 000007
【図６】
2008118354.tif 000008
【図７】
2008118354.tif 000009
【図８】
2008118354.tif 000010
【図９】
2008118354.tif 000011
【図１０】
2008118354.tif 000012
【図１１】
2008118354.tif 000013
【図１２】
2008118354.tif 000014